(57)【特許請求の範囲】
【請求項１】
可視光に対して透明な板状に形成された導光板であって、
前記導光板は、
前記導光板の側壁のうち、可視光を発する光源に対向する側壁に形成される入射面と、
前記導光板の一方の面に、所定のパターンに沿って配列され、前記光源から発して前記入射面から前記導光板内に入射した可視光を前記導光板の他方の面へ向けて反射する反射面を有する複数のプリズムと、
を有し、
前記複数のプリズムのうち、所定のピッチだけ離れた二つのプリズムの前記反射面が同一方向を向き、かつ、前記所定のピッチよりも近接した二つのプリズムの前記反射面が前記一方の面に平行な面において前記光源と正対する方向を含む所定の角度範囲内で互いに異なる方向を向くように、前記複数のプリズムのそれぞれが配置され、
前記所定の角度範囲は、前記所定のピッチよりも近接した前記二つのプリズムのそれぞれが、前記光源から発して前記入射面から前記導光板内に入射し、前記導光板の前記入射面以外の側面で反射されずに前記所定のパターンに達した可視光を、前記他方の面から出射させることが可能な範囲である、導光板。
【請求項２】
前記所定のピッチは、観察者が前記複数のプリズムのうちの二つのプリズムを識別できる長さの最小値未満に設定される、請求項１に記載の導光板。
【請求項３】
前記導光板の前記一方の面における前記所定のパターンの位置に設けられる、前記所定のパターンの形状を有する金属層をさらに有する、請求項１または２に記載の導光板。
【請求項４】
可視光を発する光源と、
可視光に対して透明な板状に形成された導光板と、
前記光源の点灯及び消灯を制御する制御部と、
を有し、
前記導光板は、
前記導光板の側壁の一辺に形成される、前記光源に対向する入射面と、
前記導光板の一方の面に、所定のパターンに沿って配列され、前記光源から発して前記入射面から前記導光板内に入射した可視光を前記導光板の他方の面へ向けて反射する反射面を有する複数のプリズムと、
を有し、
前記複数のプリズムのうち、所定のピッチだけ離れた二つのプリズムの前記反射面が同一方向を向き、かつ、前記所定のピッチよりも近接した二つのプリズムの前記反射面が前記一方の面に平行な面において前記光源と正対する方向を含む所定の角度範囲内で互いに異なる方向を向くように、前記複数のプリズムのそれぞれが配置され、
前記所定の角度範囲は、前記所定のピッチよりも近接した前記二つのプリズムのそれぞれが、前記光源から発して前記入射面から前記導光板内に入射し、前記導光板の前記入射面以外の側面で反射されずに前記所定のパターンに達した可視光を、前記他方の面から出射させることが可能な範囲である、表示装置。
【請求項５】
遊技機本体と、
前記遊技機本体の遊技者と対向する側の面に設けられた表示装置とを有し、
前記表示装置は、
可視光を発する光源と、
可視光に対して透明な板状に形成された導光板と、
前記光源及びの点灯及び消灯を制御する制御部と、
を有し、
前記導光板は、
前記導光板の側壁の一辺に形成される、前記光源に対向する入射面と、
前記導光板の一方の面に、所定のパターンに沿って配列され、前記光源から発して前記入射面から前記導光板内に入射した可視光を前記導光板の他方の面へ向けて反射する反射面を有する複数のプリズムと、
を有し、
前記複数のプリズムのうち、所定のピッチだけ離れた二つのプリズムの前記反射面が同一方向を向き、かつ、前記所定のピッチよりも近接した二つのプリズムの前記反射面が前記一方の面に平行な面において前記光源と正対する方向を含む所定の角度範囲内で互いに異なる方向を向くように、前記複数のプリズムのそれぞれが配置され、
前記所定の角度範囲は、前記所定のピッチよりも近接した前記二つのプリズムのそれぞれが、前記光源から発して前記入射面から前記導光板内に入射し、前記導光板の前記入射面以外の側面で反射されずに前記所定のパターンに達した可視光を、前記他方の面から出射させることが可能な範囲である、遊技機。
【発明の詳細な説明】
【技術分野】
【０００１】
本発明は、パターンを表示する導光板、表示装置、及び、そのような表示装置を有する遊技機に関する。
【背景技術】
【０００２】
従来より、板状に形成された光透過性を有する導光板を有し、光源からその導光板へ入射した光の向きを、導光板に形成された複数のプリズムによって変えることで広い範囲を照明できる照明装置が提案されている（例えば、特許文献１を参照）。
【０００３】
例えば、特許文献１に開示された照明装置が有する導光板の裏面には、入射した光の光路を変更して出射面から光を出射させる複数の光路変更素子を有する。複数の光路変更素子のそれぞれは、入射光を所定の方向に指向性を有するように反射させる。そして複数の光路変更素子には、少なくとも何れか一方の種類の光路変更素子から反射される光が指向性を有する方向に、他方の種類の光路変更素子から反射される光が指向性を有するどの方向とも異なる方向が含まれる、複数種類の光路変更素子が含まれる。
【先行技術文献】
【特許文献】
【０００４】
【特許文献１】特開２０１４−９６３２０号公報
【発明の概要】
【発明が解決しようとする課題】
【０００５】
特許文献１に開示された照明装置は、上記のような複数の種類の光路変更素子が形成された導光板を用いることで、見る方向によって光の強度分布を変化させている。
【０００６】
一方、用途によっては、様々な方向から見ても、あまり輝度が変わらずに、特定のパターンが光って見えるような光の装飾が求められることがある。
【０００７】
そこで、本発明は、光って見えるパターンの見る方向による輝度差を軽減可能な導光板を提供することを目的とする。
【課題を解決するための手段】
【０００８】
本発明の一つの形態として、可視光に対して透明な板状に形成された導光板が提供される。この導光板は、導光板の側壁のうち、可視光を発する光源に対向する側壁に形成される入射面と、導光板の一方の面に、所定のパターンに沿って配列され、光源から発して入射面から導光板内に入射した可視光を導光板の他方の面へ向けて反射する反射面を有する複数のプリズムとを有する。そして複数のプリズムのうち、所定のピッチだけ離れた二つのプリズムの反射面が同一方向を向き、かつ、所定のピッチよりも近接した二つのプリズムの反射面が互いに異なる方向を向くように、複数のプリズムのそれぞれが配置される。
【０００９】
この導光板において、複数のプリズムのそれぞれは、所定のピッチよりも近接した二つのプリズムの反射面が導光板の一方の面に平行な面において光源と正対する方向を含む所定の角度範囲内で互いに異なる方向を向くように配置されることが好ましい。
【００１０】
この導光板において、所定のピッチは、観察者が複数のプリズムのうちの二つのプリズムを識別できる長さの最小値未満に設定されることが好ましい。
【００１１】
また、この導光板は、各プリズムが形成される面における所定のパターンの位置に設けられる、そのパターンの形状を有する金属層をさらに有することが好ましい。
【００１２】
本発明の他の形態として、可視光に対して透明な板状に形成された導光板が提供される。この導光板は、導光板の側壁のうち、可視光を発する光源に対向する側壁に形成される入射面と、導光板の一方の面に、所定のパターンに沿って配列され、光源から発して入射面から導光板内に入射した可視光を導光板の他方の面へ向けて反射する反射面を有する複数のプリズムとを有する。そして複数のプリズムのそれぞれは、所定のパターンを分割した複数の部分領域のそれぞれごとに、反射面が同一方向を向き、かつ、複数の部分領域のうちの隣接する二つの部分領域間で反射面が互いに異なる方向を向くように配置される。
【００１３】
また、この導光板は、各プリズムが形成される面における所定のパターンの位置に設けられる、そのパターンの形状を有する金属層をさらに有することが好ましい。
【００１４】
本発明のさらに他の形態として、表示装置が提供される。この表示装置は、可視光を発する光源と、可視光に対して透明な板状に形成された導光板と、光源の点灯及び消灯を制御する制御部とを有する。
導光板は、導光板の側壁の一辺に形成される、光源に対向する入射面と、導光板の一方の面に、所定のパターンに沿って配列され、光源から発して入射面から導光板内に入射した可視光を導光板の他方の面へ向けて反射する反射面を有する複数のプリズムとを有する。そして複数のプリズムのうち、所定のピッチだけ離れた二つのプリズムの反射面が同一方向を向き、かつ、所定のピッチよりも近接した二つのプリズムの反射面が互いに異なる方向を向くように、複数のプリズムのそれぞれが配置される。
【００１５】
本発明のさらに他の形態として、遊技機が提供される。この遊技機は、遊技機本体と、遊技機本体の遊技者と対向する側の面に設けられた表示装置とを有し、表示装置は、可視光を発する光源と、可視光に対して透明な板状に形成された導光板と、光源の点灯及び消灯を制御する制御部とを有する。
そして導光板は、導光板の側壁の一辺に形成される、光源に対向する入射面と、導光板の一方の面に、所定のパターンに沿って配列され、光源から発して入射面から導光板内に入射した可視光を、遊技者と対向する側に設けられた導光板の他方の面へ向けて反射する反射面を有する複数のプリズムとを有する。そして複数のプリズムのうち、所定のピッチだけ離れた二つのプリズムの反射面が同一方向を向き、かつ、所定のピッチよりも近接した二つのプリズムの反射面が互いに異なる方向を向くように、複数のプリズムのそれぞれが配置される。
【発明の効果】
【００１６】
本発明に係る導光板は、光って見えるパターンの見る方向による輝度差を軽減できるという効果を奏する。
【図面の簡単な説明】
【００１７】
【図１】本発明の一つの実施形態に係る表示装置の概略構成図である。
【図２】表示装置が有する導光板の概略正面図である。
【図３】図２の矢印ＡＡ’で示される導光板の概略側面断面図である。
【図４】プリズムの配置を示す、パターンの一部の拡大平面図である。
【図５】各プリズムの反射面の向きを同一としたときの角度ごとの照度分布のシミュレーション結果を表す図である。
【図６】プリズムの反射面の向きを、光源と正対する向きを中心として、5°単位で±10°の角度範囲内でばらつかせたときの角度ごとの照度分布のシミュレーション結果を表す図である。
【図７】第２の実施形態によるプリズムの配置を示す、パターンの一部の拡大平面図である。
【図８】上記の各実施形態または変形例による表示装置を有する弾球遊技機を遊技者側から見た、その弾球遊技機の概略斜視図である。
【発明を実施するための形態】
【００１８】
以下、本発明の実施形態による表示装置を、図を参照しつつ説明する。この表示装置は、可視光に対して透明な材料を板状に形成した導光板を有し、その導光板の一方の面が観察者に面する出射面として形成される。そして出射面と対向する導光板の他方の面には、光源から発し、導光板の側壁に形成された入射面から導光板内に入射した可視光を出射面へ向けて反射する複数のプリズムが形成される。そして複数のプリズムのそれぞれは、表示装置が表示させるパターンの形状に合わせて配列される。そして各プリズムは、所定ピッチだけ離れたプリズムの反射面の向きが同一となり、所定ピッチよりも近接したプリズム同士の反射面の向きは所定の角度範囲内で異なるように配置され、これにより、パターンを見る方向による輝度差を軽減する。
なお、以下では、説明の便宜上、観察者と対向する側を正面とし、その反対側を背面とする。
【００１９】
図１は、本発明の一つの実施形態に係る表示装置の概略構成図である。表示装置１は、導光板２と、光源３と、制御部４とを有する。
【００２０】
導光板２は、光源３から発する可視光に対して透明な板状に形成された部材である。導光板２は、例えば、ポリメチルメタクリレート（ＰＭＭＡ）、ポリカーボネート、シクロオレフィンポリマーといった、可視光に対して透明な樹脂を成型することで形成される。そして導光板２は、光源３が点灯している間、光源３からの光をその内部で伝搬させるとともに、背面側に形成された、光源３に対応し、所定のパターン２２を形成するように配列された複数のプリズムにより、正面側に位置する観察者へ向けて反射させることで、観察者が発光するパターン２２を視認できるようにする。
なお、導光板２の詳細については後述する。
【００２１】
光源３は、可視光を発する少なくとも一つの発光素子を有し、発光素子の発光面が導光板２の側壁のうちの一つである入射面２ａと対向するように配置される。そして光源３は、制御部４からの制御信号に応じて点灯または消灯する。制御部４が光源３を点灯させている間、光源３から発した光は、入射面２ａを介して導光板２内に入射し、導光板２内を直進または全反射しながら伝搬した後に導光板２の背面側の拡散面２ｂに形成された複数のプリズムで反射されて正面側の出射面２ｃから出射する。
【００２２】
なお、光源３が有する発光素子は、例えば、発光ダイオード、白熱灯あるいは蛍光灯である。
【００２３】
制御部４は、例えば、プロセッサと、メモリ回路と、光源３の駆動回路とを有する。そして制御部４は、上位の制御装置（図示せず）からの制御信号に応じて、光源３の点灯及び消灯を制御する。導光板２の正面側に位置する観察者からパターン２２が見えるようにする場合には、制御部４は、光源３を点灯させ、一方、観察者からパターン２２が見えないようにするためには光源３を消灯する。
【００２４】
以下、導光板２の詳細について説明する。
【００２５】
図２は、導光板２の概略正面図である。また図３は、図２の矢印ＡＡ’で示される線における、導光板２の概略側面断面図である。図２及び図３に示されるように、導光板２の側壁の一面に、光源３と対向する入射面２ａが形成される。光源３からの光は入射面２ａから導光板２の内部に入射する。そして導光板２の内部を、拡散面２ｂと出射面２ｃとの間で全反射されながら、あるいは直進しつつ伝搬した光は、導光板２の背面側に位置する拡散面２ｂに形成された複数のプリズム２１の何れかにて全反射された後、導光板２の正面側に位置し、かつ、拡散面２ｂと対向する出射面２ｃから出射する。複数のプリズム２１は、パターン２２を形成するように、パターン２２に沿って配列される。したがって、観察者は、光源３が点灯している間、導光板２の表面において発光して見えるパターン２２を観察できる。なお、図２及び図３において、図の見易さの向上のために、プリズム２１のサイズ及び導光板２の厚さは誇張されている点に留意されたい。
【００２６】
複数のプリズム２１のそれぞれは、例えば、拡散面２ｂにおいて所定の長さを持つ略三角形状の溝として形成される。そして複数のプリズム２１のそれぞれは、拡散面２ｂに対して所定の角度をなす反射面２１ａを有する。なお、所定の角度は、導光板２へ入射した光源３からの光を全反射させて、出射面２ｃへ向ける角度、例えば、拡散面２ｂに対して４０°〜５０°をなすように設定される。また所定の長さは、観察者の眼で、各プリズム２１を視認することができない程度の長さ、例えば、数μm〜数10μm程度に設定される。
【００２７】
図４は、プリズム２１の配置を示す、パターン２２の一部の拡大平面図である。各プリズム２１は、反射面２１ａが様々な方向を向くように配置されている。本実施形態では、互いに隣接する二つのプリズム２１が所定のピッチよりも狭い間隔となるように各プリズム２１は配置される。そして所定のピッチだけ離れた二つのプリズム２１の反射面２１ａが同一方向を向き、その所定のピッチよりも近接した二つのプリズム２１の反射面２１ａが、特定の方向を中心とする、拡散面２ｂに平行な面に沿って所定の角度範囲内で異なる方向を向くように、各プリズム２１は配置される。特定の方向は、例えば、光源３に対して反射面２１ａが正対する方向であり、所定の角度範囲は、光源３からの光が反射面２１ａで反射されて出射面２ｃから出射することが可能な角度範囲、例えば、±10°とすることができる。そして例えば、互いに隣接する二つのプリズム２１間の反射面２１ａの角度差は、例えば、4°〜6°となるように、各プリズムは配置される。
【００２８】
また、反射面２１ａの向きが同一となる二つのプリズム（図４では、プリズム２１−１とプリズム２１−２）間のピッチが、観察者の眼で識別できる長さの最小値未満となることが好ましい。
【００２９】
例えば、観察者が識別できる視角の最小値を、視力1.0相当の人の視角の最小値である1分とし、観察者と導光板２の想定される間隔を60cmとすると、反射面２１ａが同じ向きとなる二つのプリズム２１間のピッチは0.17mm以下であることが好ましい。ただし、本実施形態では、光源３が点灯している間、観察者からは各プリズム２１が発光して見えるので、観察者が識別できる視角の最小値に相当する長さよりも反射面２１ａの向きが同一となる二つのプリズム２１間の実際のピッチがもう少し広くても、各プリズム２１は識別され難い。そこで、反射面２１ａの向きが同一となる二つのプリズム２１間のピッチが、例えば、観察者の視点からの角度が0.1°に相当する長さとなるように、各プリズム２１は配置されてもよい。この場合、例えば、観察者と導光板２の想定される間隔を60cmとすると、ピッチは1mm以下となる。
【００３０】
このように複数のプリズム２１のそれぞれが配置されることで、プリズム２１によって光源３からの光が反射される方向が異なることになる。そのため、パターン２２を見る方向が異なっていても、パターン２２の明るさはそれほど変化しない。また、観察者の眼では、各プリズム２１の反射面２１ａの向きの違いによる輝度ムラを検知できないので、パターン２２全体が一様な輝度となっているように観察者に見せることができる。
【００３１】
図５は、各プリズム２１の反射面２１ａの向きを同一としたときの角度ごとの照度分布のシミュレーション結果を表す図である。図５において、横軸は、出射面２ｃの法線を通り、入射面２ａと直交する面における角度を表す。角度0°は、出射面２ｃの法線方向に対応する。縦軸は、想定される観察者の位置での照度を表す。そしてグラフ５００は、角度と照度の関係を表す。グラフ５００に示されるように、プリズム２１の反射面２１ａの向きを全て同一とした場合には、出射面２ｃの法線方向における照度に対して±2.5°程度で照度が半分となる。このことは、法線方向に近い角度からしか、パターン２２は明るく見えないことを示している。
【００３２】
図６は、プリズム２１の反射面２１ａの向きを、光源３に正対する向きを中心として、拡散面２ｂに対して平行な面に沿って5°単位で±10°の角度範囲内でばらつかせたときの角度ごとの照度分布のシミュレーション結果を表す図である。図６において、横軸は、出射面２ｃの法線を通り、入射面２ａと直交する面における角度を表す。角度0°は、出射面２ｃの法線方向に対応する。縦軸は、想定される観察者の位置での照度を表す。そしてグラフ６００は、角度と照度の関係を表す。グラフ６００に示されるように、この例では、出射面２ｃの法線方向から±12.5°の範囲内での照度は、法線方向における照度の半分以上となる。このことから、反射面２１ａの向きを同一としたときと比較して、パターン２２が明るく見える角度範囲が大きく広がっていることが分かる。
【００３３】
以上に説明してきたように、この表示装置では、導光板に表示されるパターンを形成する複数のプリズムが、所定のピッチだけ離れた二つのプリズムの反射面が同じ方向を向き、かつ、所定のピッチよりも近接する二つのプリズムの反射面が異なる方向を向くように配置される。これにより、この表示装置は、光源からの光が特定方向に反射されるだけでなく、その周囲の方向にも反射されるので、パターンを見る方向による輝度のバラツキを軽減できる。
【００３４】
次に、第２の実施形態による表示装置について説明する。この表示装置は、第１の実施形態とは逆に、パターンの部分領域ごとに、明るく見える方向を異ならせるために、パターンの部分領域単位で、その部分領域内に配置されるプリズムの反射面の向きを異ならせる。なお、第１の実施形態と第２の実施形態とでは、パターンを形成するプリズムの配置のみが異なる。そこで以下では、プリズムの配置について説明する。第２の実施形態による表示装置の他の部分については、第１の実施形態による表示装置の対応する部分の説明を参照されたい。
【００３５】
図７は、第２の実施形態によるプリズム２１の配置を示す、パターン２２の一部の拡大平面図である。この変形例では、パターン２２は、複数の部分領域２３−１〜２３−ｎ（ただし、ｎは２以上の整数、図７の例では、ｎ＝３）に分割される。個々の部分領域２３−１〜２３−ｎ内では、その部分領域内の各プリズム２１の反射面２１ａは同一方向に向けられ、一方、互いに隣接する二つの部分領域間では、プリズム２１の反射面２１ａの向きは異なるように、各プリズム２１は配置される。例えば、部分領域２３−１内に含まれる各プリズム２１は、その反射面２１ａが光源３と正対するように配置される。そのため、部分領域２３−１では、光源３から導光板２内へ入射した光は、部分領域２３−１内の各プリズム２１によって、出射面２ｃの法線方向へ向けられる。一方、部分領域２３−１と隣接する部分領域２３−２に含まれる各プリズム２１は、その反射面２１ａが、光源３と正対する方向から、出射面２ｃの法線方向を回転軸として10°傾くように配置される。そのため、部分領域２３−２では、光源３から導光板２内へ入射した光は、部分領域２３−２内の各プリズム２１によって、反射面２１ａの正対方向からの傾きに応じた角度だけ、出射面２ｃの法線方向からずれた方向へ向けられる。その結果、観察者が出射面２ｃの正面側から導光板２を見た場合、パターン２２のうちの部分領域２３−１は比較的明るく見えるが、パターン２２のうちの部分領域２３−２は比較的暗く見える。
【００３６】
各部分領域のサイズは、パターン２２内で明るさを略同一とするサイズに設定され、複数のプリズム２１を含むサイズとすることが好ましい。また、部分領域ごとにサイズが異なっていてもよく、あるいは、各部分領域のサイズは同一であってもよい。また、部分領域ごとのプリズム２１の反射面２１ａの向きは、予め設定された二つの方向の何れかであってもよく、あるいは、予め設定された三つ以上の方向の何れかであってもよい。
【００３７】
この実施形態によれば、表示装置は、部分領域単位で各プリズムの反射面の向きを変化させることでパターン内に明るさの分布を生じさせることができる。そのため、この変形例では、明るさが比較的低い部分領域内のプリズムのサイズを小さくしなくてもよい。そのため、明るさが比較的低い部分領域内のプリズムの加工が困難となることが抑制される。またこの実施形態では、比較的暗い部分領域におけるプリズムの配置密度を低下させなくてもよいので、プリズムが有る部分とプリズムが無い部分との輝度差によるチラつきが防止される。
【００３８】
なお、上記の各実施形態または変形例による表示装置において、二つのプリズムの反射面の向きを互いに異ならせる際、拡散面２ｂに平行な面内で、すなわち、拡散面２ｂ（あるいは出射面２ｃ）の法線方向を回転軸として反射面２１ａを回転させる代わりに、あるいは、その回転とともに、拡散面２ｂに対して反射面２１ａがなす角を異ならせてもよい。この場合も、拡散面２ｂに対して反射面２１ａがなす角が変われば、出射面２ｃから出射する光の角度が変化するので、上記の各実施形態または変形例による表示装置と同様の効果が得られる。
【００３９】
上記の各実施形態の他の変形例によれば、導光板２の拡散面２ｂにおいて、複数のプリズムにより形成されるパターンに相当する位置のみに金属層が設けられてもよい。そのような金属層は、例えば、拡散面２ｂから各プリズムの頂点までの深さが5μm〜50μmである場合、そのパターン以外の部分をマスクした上でスパッタリング、蒸着あるいはメッキ処理を行うことで形成される。この場合、金属層は、例えば、0.001〜10μm程度の厚さを持つ薄膜となる。一方、拡散面２ｂから各プリズムの頂点までの深さが50μmよりも大きい場合には、拡散面２ｂのそのパターンの位置に、そのパターンの形状に形成された金属シールを貼付することでその金属層が形成される。この場合、金属層は、例えば、10μmかそれ以上の厚さとなる。
【００４０】
このように、パターンの部分に金属層を設けることで、表示装置は、光源３が消灯されていても、出射面２ｃ側から導光板２を見る観察者に対して、金属的な質感を持つパターンを表示することができる。またこの変形例では、表示装置は、出射面２ｃ側から導光板２を見る観察者に対して、光源３を点灯することで、その金属層の色及び光源３からの発光色に応じた、金属的な質感を持ちつつ発光するように見えるパターンを表示することができる。
【００４１】
上記の各実施形態または変形例による表示装置は、弾球遊技機または回胴遊技機といった遊技機に搭載されてもよい。
図８は、上記の各実施形態または変形例による表示装置を有する弾球遊技機を遊技者側から見た、その弾球遊技機の概略斜視図である。図８に示すように、弾球遊技機１００は、上部から中央部の大部分の領域に設けられ、遊技機本体である遊技盤１０１と、遊技盤１０１の下方に配設された球受け部１０２と、ハンドルを備えた操作部１０３と、遊技盤１０１の略中央に設けられた液晶ディスプレイ１０４と、液晶ディスプレイ１０４の前面に配置された、表示装置１０５とを有する。
【００４２】
また弾球遊技機１００は、遊技の演出のために、遊技盤１０１の前面において遊技盤１０１の下方または表示装置１０５の周囲に配置された役物１０６を有する。また遊技盤１０１の側方にはレール１０７が配設されている。また遊技盤１０１上には多数の障害釘（図示せず）及び少なくとも一つの入賞装置１０８が設けられている。
【００４３】
操作部１０３は、遊技者の操作によるハンドルの回動量に応じて図示しない発射装置より所定の力で遊技球を発射する。発射された遊技球は、レール１０７に沿って上方へ移動し、多数の障害釘の間を落下する。そして遊技球が何れかの入賞装置１０８に入ったことを、図示しないセンサにより検知すると、遊技盤１０１の背面に設けられた主制御回路（図示せず）は、遊技球が入った入賞装置１０８に応じた所定個の遊技球を玉払い出し装置（図示せず）を介して球受け部１０２へ払い出す。さらに主制御回路は、遊技盤１０１の背面に設けられた演出用CPU（図示せず）を介して液晶ディスプレイ１０４及び表示装置１０５を駆動する。
【００４４】
表示装置１０５は、上記の各実施形態または変形例による表示装置の一例であり、導光板の出射面が遊技者へ向くように遊技盤１０１に取り付けられる。そして表示装置１０５の制御部は、遊技の状態に応じた、演出用CPUからの制御信号に応じて、光源を点灯させて、遊技者が、液晶ディスプレイ１０４に表示された映像とともに所定のパターンを視認できるようにする。あるいは、制御部は、光源を消灯して、遊技者が、導光板を介して液晶ディスプレイ１０４に表示された映像のみを観察できるようにしてもよい。
【００４５】
このように、当業者は、本発明の範囲内で、実施される形態に合わせて様々な変更を行うことができる。
【符号の説明】
【００４６】
１    表示装置
２    導光板
２ａ    入射面
２ｂ    拡散面
２ｃ    出射面
３    光源
２１    プリズム
２１ａ    反射面
２２    パターン
２３−１〜２３−ｎ    部分領域
４    制御部
１００    弾球遊技機
１０１    遊技盤
１０２    球受け部
１０３    操作部
１０４    液晶ディスプレイ
１０５    表示装置
１０６    役物
１０７    レール
１０８    入賞装置
【図１】
0006561644.tif 000002
【図２】
0006561644.tif 000003
【図３】
0006561644.tif 000004
【図４】
0006561644.tif 000005
【図５】
0006561644.tif 000006
【図６】
0006561644.tif 000007
【図７】
0006561644.tif 000008
【図８】
0006561644.tif 000009